(57)【要約】【課題】  背当部及びクッション部を簡単に着脱することができるようにする。【解決手段】  背当部１及びクッション部（座部）２の、その取付けの基礎となるものであって左右に肘掛け部３１、３１’を有するチェア本体３を設ける。チェア本体３の下方部に設けられるフレーム３３上に、背当部１の傾斜角度を任意に変化させるリクライニング機構５を設ける。リクライニング機構５を形成するパワーシリンダ５１に下端部が連結されるとともに、その下方部の両側面部のところがチェア本体３の両肘掛け部３１、３１’の下方部に設けられた支持ピン３１１のところに着脱自在なように取付けられる背当部１を設ける。チェア本体３のフレーム３３上に着脱自在なように取付けられるクッション部（座部）２を設ける。【選択図】        図１
0003154967.tif 000002
【実用新案登録請求の範囲】
【請求項１】
背当部、クッション部、これらを支持するチェア本体、及び上記背当部の角度を任意に調整するためのリクライニング機構からなるリクライニングチェアにおいて、上記リクライニング機構を上記チェア本体に残した状態で、上記背当部及びクッション部を、上記チェア本体及びリクライニング機構に対して着脱可能なようにした構成からなることを特徴とするリクライニングチェア。
【請求項２】
背当部、クッション部、これらを支持するチェア本体、及び上記背当部の角度を任意に調整するためのリクライニング機構からなるリクライニングチェアにおいて、上記リクライニング機構を上記チェア本体に残した状態で、上記背当部及びクッション部を着脱可能なようにするとともに、上記チェア本体及びリクライニング機構から取り外された状態の背当部を、上記チェア本体に設置された状態のクッション部の上に、ほぼ水平状態の寝かせた状態で設置することができるようにしたことを特徴とするリクライニングチェア。
【請求項３】
背当部、クッション部、これらを支持するチェア本体、及び上記背当部の角度を任意に調整するためのリクライニング機構からなるリクライニングチェアにおいて、上記背当部及びクッション部を、上記チェア本体及びリクライニング機構に対して着脱可能なようにするとともに、上記背当部のリクライニング作動の基点となる回転中心点の構造を、上記チェア本体を形成する両肘掛け部の下方部に設けられるものであって上記背当部が取付けられるように内側に向けて突出するように設けられ、、かつ、その軸直角断面において円の一部が切り欠かれた状態の略半円形に近い一面取り円の形態を有する支持ピンと、上記背当部の下端部に近いところであって、その両側面部のところに設けられ、かつ、上記支持ピンのところに係合するとともに、上記支持ピンの一面取り部の幅に略等しい開口部を有する係合フック部と、からなるようにしたことを特徴とするリクライニングチェア。
【請求項４】
背当部、クッション部、これらを支持するチェア本体、及び上記背当部の角度を任意に調整するためのリクライニング機構からなるリクライニングチェアにおいて、上記背当部及びクッション部を、上記チェア本体及びリクライニング機構に対して着脱可能なようにするとともに、上記背当部とリクライニング機構を形成するパワーシリンダとの連結部の構造を、上記背当部の下端部中央部に設けられる背当部側クレビスと、当該背当部側クレビスと係合するものであって、上記チェア本体側に設置された上記パワーシリンダの一方の端部側に設けられるパワーシリンダ側クレビスと、これらパワーシリンダ側クレビスと背当部側クレビスとを着脱可能なように結合するクレビスピンと、当該クレビスピンを保持するスナップピンと、からなるようにしたことを特徴とするリクライニングチェア。
【請求項５】
背当部、クッション部、これらを支持するチェア本体、及び上記背当部の角度を任意に調整するためのリクライニング機構からなるリクライニングチェアにおいて、上記背当部及びクッション部を、上記チェア本体及びリクライニング機構に対して着脱可能なようにするとともに、上記クッション部の下面部前端部のところに、上記チェア本体の下方部前端部に設けられたクロスフレームに係合するものであって、上記クッション部の前方への移動を規制するストッパ部を設けるようにした構成からなることを特徴とするリクライニングチェア。
【請求項６】
背当部、クッション部、これらを支持するチェア本体、及び上記背当部の角度を任意に調整するためのリクライニング機構からなるリクライニングチェアにおいて、上記背当部及びクッション部を、上記チェア本体及びリクライニング機構に対して着脱可能なようにするとともに、上記リクライニング機構を形成するパワーシリンダの作動を制御する操作レバーを、上記チェア本体の両側面部に形成される肘掛け部のうちのいずれか一方側のところに設けるとともに、このような操作レバーの先端部を上記肘掛け部の上端部に設けられた操作プレートのところに連結させるようにした構成からなることを特徴とするリクライニングチェア。
【考案の詳細な説明】
【技術分野】
【０００１】
本考案は、肘掛け部をスライド移動させることによって背当部のリクライニング作動をさせることのできるようにしたリクライニング機構付きチェアに関するものである。特に、本考案のものにおいては、上記背当部のリクライニング作動を上記肘掛け部のスライド移動にて行なわせるようにしたことより、例えば寝た状態の着座者は、この寝た状態の姿勢のままで上記肘掛け部のスライド移動を行なわせることができるようになり、背当て部のリクライニング作動を簡単な操作にて行なうことができるようになる。また、このような肘掛け部のスライド作動機構は左右どちら側の肘掛け部への設置も可能となっているものである。また、本考案の技術分野は、上記チェアを形成する主要部品である背当部及びクッション部を、簡単な操作にて、その着脱が可能なようにした肘掛け部スライド作動方式のリクライニング機構付きチェアに関するものである。
【背景技術】
【０００２】
従来の、この種のものは、その主要部を成す背当部、クッション部、リクライニング機構部等が、これらを支持するチェア本体に一体的に組込まれるとともに、このような組付け作業（組立作業）は工場で行なわれ、完成品としてでき上がった状態のものが出荷されるようになっているものである。
【先行技術文献】
【特許文献】
【０００３】
【特許文献１】特開２０００−１５２８４０号公報
【考案の概要】
【考案が解決しようとする課題】
【０００４】
ところで、上記従来のものにおいては、一定の期間使用したものについてリクライニング機構部を形成する各パーツが故障をしたような場合に、特定の作業員が特殊な工具類を用いて修理等を行なわなければならなかった。このような問題点を解決するために、背当部、クッション部を初めとした各パーツ類を着脱可能なようにしたリクライニング機構付きのチェア（リクライニングチェア）を提供しようとするのが、本考案の目的（課題）である。
【課題を解決するための手段】
【０００５】
上記課題を解決するために、本考案においては、背当部、クッション部、これらを支持するチェア本体、及び上記背当部の角度を任意に調整するためのリクライニング機構からなるリクライニングチェアに関して、上記リクライニング機構を上記チェア本体に残した状態で、上記背当部及びクッション部を着脱可能なようにするとともに、上記チェア本体及びリクライニング機構から取り外された状態の背当部を、上記チェア本体に設置された状態のクッション部の上に、ほぼ水平状態の寝かせた状態で設置（搭載）することができるようにした構成を採ることとした。
【考案の効果】
【０００６】
このような構成を採ることにより、本考案のものにおいては、上記背当部及びクッション部を簡単に脱着させることができるようになり、本リクライニングチェア全体の整備・点検等を容易に行なうことができるようになった。また、製品の梱包段階において、その全体を小さな空間内に収納することができるようになった。その結果、搬送時において、全体の省スペース化を図ることができるようになった。従来のものにおいては、背当部等がチェア本体に対して取り外し不可能なように取付けられているところから、当該背当部等を装着した状態で搬送のための梱包をしなければならず、全体的に嵩張った状態となっていた。これに対して、本考案のものにおいては、例えば、図７に示す如く、背当部をチェア本体から取り外すとともに、当該背当部をひっくり返してクッション部の上に寝かせた状態で設置（搭載）するようにしたので、全体的に、ほぼ立方体の形態となり、余分な空間を占拠することが無くなった。従って、複数個のリクライニングチェアアセンブリを搬送するに際して、少ない空間内に多数のものを収容することができるようになり、搬送効率の向上を図ることができるようになった。
【図面の簡単な説明】
【０００７】
【図１】本考案の全体構成を示す展開斜視図である。
【図２】本考案にかかる背当部の回転運動中心点の構造を示す図である。
【図３】本考案にかかるリクライニング機構の主要部を成すパワーシリンダ周りの構成を示す斜視図である。
【図４】本考案にかかる背当部とリクライニング機構との結合部の構成を示す展開斜視図である。
【図５】本考案にかかるクッション部（座部）の全体構成を示す斜視図である。
【図６】本考案にかかるクッション部（座部）のストッパ部とクロスフレームとの係合状態を示す図である。
【図７】本考案にかかるリクライニングチェアの包装容器内への収納手順を示す図である。
【考案を実施するための形態】
【０００８】
本考案を実施するための形態について、図１ないし図７を基に説明する。本実施の形態に関するものの、その構成は、図１に示す如く、本リクライニングチェアの基礎を成すものであって、その左右に肘掛け部３１、３１’を有するチェア本体３と、当該チェア本体３の下方部に設けられるものであって、後に述べる背当部１の傾斜角度を任意に変化させるリクライニング機構５と、当該リクライニング機構５に、その下端部が連結されるとともに、上記チェア本体３の下方部に回転自在なように、かつ、着脱が可能なように取付けられる背当部１と、上記チェア本体３の下方部に設けられたクロスフレーム３３３を初めとしたフレーム３３上に着脱可能なように設置（搭載）されるクッション部（座部）２と、からなることを基本とするものである。
【０００９】
このような構成からなるものにおいて、上記背当部１は、その下方部の両側面部のところに、上記チェア本体３に対して回転運動自在なように取付けられるものであって本背当部１のリクライニング運動の支点となる係合フック部１１、１１’を有するとともに、下端部中央部のところには上記リクライニング機構５を形成するパワーシリンダ５１に連結されるクレビス（背当部側クレビス）１５を有するようになっているものである。そして、このような構成からなるもののうち、上記係合フック部１１、１１’は、図２に示す如く、上記チェア本体３の肘掛け部３１、３１’の下方部内側のところに設けられた支持ピン３１１の径（Ｄ）とほぼ同等の内径（Ｄ’）を有する穴状の係合部１１１と、上記支持ピン３１１の一面取り幅（Ｅ）の値と同等の幅（Ｅ’）を有する開口部１１３と、からなるものである。このような形態を採ることによって、上記係合フック部１１、１１’のところは、上記チェア本体３の支持ピン３１１のところへの着脱が、簡単な操作にて行なわれることとなる。すなわち、上記支持ピン３１１の一面取り部のところに係合フック部１１、１１’の上記開口部１１３を合せた状態で背当部１をスライド移動させることによって、上記支持ピン３１１と係合フック部１１、１１’との着脱を行なわせることができるとともに、このようにして一旦係合（結合）した後は、背当部１をリクライニング運動させても、上記係合フック部１１、１１’の穴状の係合部１１１のところが軸状の支持ピン３１１に係合して、当該支持ピン３１１が上記係合部１１１のところから抜け出るようなことが無い。また、背当部１の下端部中央部に設けられたクレビス（背当部側クレビス）１５は、上記リクライニング機構５のパワーシリンダ５１の一端部側、具体的には、図４に示す如く、パワーシリンダ５１のピストンロッドの一端側に設けられたクレビス（パワーシリンダ側クレビス）５１１に結合されるようになっているものである。なお、この連結部（結合部）は、上記両クレビス１５、５１１のところがクレビスピン５１５、更にはスナップピン５１６を介することによって連結されるようになっており、これらスナップピン５１６及びクレビスピン５１５を操作することによって、その連結（結合）、あるいは取り外しが、簡単に行なわれるようになっているものである。
【００１０】
次に、このような背当部１と組み合わされた状態で設置されるクッション部２は、一般のチェアと同様、座部を形成するものであり、本実施の形態においても、チェア本体３の両肘掛け部３1、３１’の間に挟まれた状態で、かつ、チェア本体３の下方部に形成されたクロスフレーム３３３を初めとしたフレーム３３の上に設置（載置）されるようになっているものである。そして、このようなクッション部（座部）２の、その下面部であって前端部に近いところには、図５及び図６に示すような突部からなるストッパ部２３が設けられるようになっている。これによって、本クッション部（座部）２をチェア本体３のフレーム３３上に載せるだけで、本クッション部（座部）２の位置決めが成され（図６参照）、本クッション部（座部）２の前方への移動が規制されることとなる。また、本クッション部（座部）２を上方に持ち上げるだけで、本クッション部（座部）２のチェア本体３からの取り外しが簡単に行なわれることとなる。
【００１１】
次に、このような構成からなるクッション部（座部）２及び背当部１の、その取付けの基礎となるチェア本体３は、図１に示す如く、両側に肘掛け部３１、３１’を有する形態からなるものであって、これら両肘掛け部３１、３１’間には、クロスフレーム３３３を初めとしたフレーム３３が設けられ、これによって、上記両肘掛け部３１、３１’が連結されるようになっているものである。
【００１２】
このような構成からなるチェア本体３の、その一部を形成するクロスフレーム３３３等のところには、図１及び図３に示す如く、上記背当部１のリクライニング作動を担うリクライニング機構５が設けられるようになっている。このリクライニング機構５は、上記背当部１の下端部のところに設けられた背当部側クレビス１５のところに、その一端が連結されるパワーシリンダ５１と、当該パワーシリンダ５１の作動を制御するものであって、上記チェア本体３の肘掛け部３１の上端部に設けられた操作プレート７と、からなることを基本とするものである。
【００１３】
このような構成からなるものにおいて、上記パワーシリンダ５１としては、本実施の形態においては、その内部に圧縮ガスの封入された油圧シリンダからなる、いわゆるガススプリングあるいはガスシリンダと称されるものが用いられている。このようなパワーシリンダ５１の一方の端部は上記チェア本体３の下方部に設けられたフレーム３３の略中央部に取付けられるとともに、残りの一方の端部であるピストンロッドの端部等は、クレビス（パワーシリンダ側クレビス）５１１を介して、上記背当部１の下端部中央部に設けられた背当部側クレビス１５のところに連結されるようになっているものである。なお、このようなパワーシリンダ５１は、上記各クレビス５１１等を介して、その着脱が簡単に行なえるよう、上記背当部１あるいはチェア本体３のクロスフレーム３３３等に取付けられるようになっているものである。また、このような構成からなるパワーシリンダ５１の一方の端部側には、例えば図３に示す如く、上記パワーシリンダ５１の油圧の切換えを担う切換レバー５１９が設けられるようになっている。そして、この切換レバー５１９のところには、操作レバー５５の一方の端部側に設けられたフック部５５１が係合するようになっている。そして、このような操作レバー５５のもう一方の端部側にはレバー部５５５が設けられるようになっている。なお、このレバー部５５５は、例えば図１に示す如く、いずれか一方の肘掛け部３１、３１’のところに設けられるようになっている。そして更に、このようなレバー部５５５の先端部のところは、上記肘掛け部３１、３１’の上端部に設けられた操作プレート７のところに連結されるようになっているものである。従って、この操作プレート７を操作することによって上記パワーシリンダ５１の油圧切換が行なわれることとなる。なお、このような操作レバー５５及び操作プレート７等は、右利き用、あるいは左利き用に対応させて、それぞれ上記左右の肘掛け部３１、３１’のところに適宜設けられるようになっている。
【００１４】
次に、このような構成からなる本実施の形態のものにかかるリクライニングチェアアセンブリの、その各構成部品の取外し作業、更には、その取外された各構成部品の梱包の手順等について説明する。まず、チェア本体３上に搭載（設置）されているクッション部（座部）２を上方に引上げて、これらを取り外す。次に、図４において、リクライニング機構５を形成するパワーシリンダ５１のパワーシリンダ側クレビス５１１と背当部１の下端部に設けられた背当部側クレビス１５とを分離させる。このような状態において、図２に示す如く、背当部１の下方部両側面部に設けられた係合フック部１１、１１’の開口幅（Ｅ’）を有する、その開口部１１３のところをチェア本体３に設けられた支持ピン３１１の一面取り幅（Ｅ）を有するところに合致させるように、上記背当部１を回転させる。このような状態において、背当部１を所定の方向にスライドさせる。これによって、背当部１のチェア本体３からの取外しが簡単に行なわれることとなる。
【００１５】
次に、このように、クッション部（座部）２及び背当部１が、上記チェア本体３から取外された状態において、図７の（Ａ）に示す如く、ダンボール箱等からなる所定の包装容器９内に、まず、チェア本体３を収納する。このような状態において、次に図７の（Ｂ）に示す如く、クッション部（座部）２を上記チェア本体３上に設置する。なお、クッション部（座部）２の設置は、チェア本体３の包装容器９内への収納に先立って行なわせておくこともできる。いずれにしても、このようにして所定の包装容器９内にチェア本体３及びクッション部（座部）２が収納された状態において、上記予め取外しておいた背当部１を、図７の（Ｃ）に示す如く、その表部が上側に来るようにひっくり返した状態で、かつ、寝かせた状態で、上記クッション部（座部）２の上に載せる。このような一連の作業を行なうことによって、本リクライニングチェアアセンブリは、所定の容積を有する包装容器９内に、あまり隙間を有しない状態で効率良く収納されることとなる。
【００１６】
なお、このようにして少ない空間内に収納された本リクライニングチェアアセンブリの各構成部品は、所定の場所に搬送された後、上記包装容器９から取出され、かつ、上記梱包のときとは逆の手順を経ることによって、簡単に、かつ、特別な工具等を用いることなく、円滑に組立てられることとなる。
【００１７】
このように、背当部１、クッション部（座部）２、これらを支持するチェア本体３、及び上記背当部１の角度を任意に調整するためのリクライニング機構５からなるリクライニングチェアに関して、例えば図７に示す如く、上記リクライニング機構５を上記チェア本３に残した状態で、上記背当部１及びクッション部（座部）２を着脱可能なようにするとともに、上記チェア本体３及びリクライニング機構５から取り外された状態の背当部１を、上記チェア本体３に設置された状態のクッション部（座部）２の上に、ほぼ水平状態の寝かせた状態で設置（搭載）することができるようにしたので、製品の梱包段階において、その全体を小さな空間内に収納することができるようになった。その結果、搬送時において、全体の省スペース化を図ることができるようになった。すなわち、従来のものにおいては、背当部等がチェア本体に対して取り外し不可能なように取付けられているところから、当該背当部等を装着した状態で、搬送のための梱包をしなければならず、全体的に嵩張った状態となっていた。これに対して、本考案のものにおいては、背当部１をチェア本体３から取り外すとともに、当該背当部１をひっくり返してクッション部（座部）２の上に寝かせた状態で設置（搭載）するようにしたので、全体的に、ほぼ立方体の形態となり、余分な空間を占拠することが無くなった。従って、複数個のリクライニングチェアアセンブリを搬送するに際して、少ない空間内に多数のものを収容することができるようになり、搬送効率の向上を図ることができるようになった。
【００１８】
また、背当部１のリクライニング作動の基点となる回転中心点の構造を、例えば図１に示す如く、上記チェア本体３を形成する両肘掛け部３１、３１’の下方部に設けられるものであって上記背当部１が取付けられるように内側に向けて突出するように設けられ、かつ、その軸直角断面において、例えば図２に示す如く、円の一部が切り欠かれた状態の略半円形に近い一面取り円の形態を有する支持ピン３１１と、上記背当部１の下端部に近いところであって、その両側面部のところに設けられ、かつ、上記支持ピン３１１のところに係合するとともに、上記支持ピン３１１の一面取り部の幅に略等しい開口部を有する係合フック部１１、１１’と、からなるようにした構成を採ることとしたので、背当部１をリクライニングが可能なように支持することができるとともに、簡単な操作にて、上記背当部１をチェア本体３に対して容易に着脱することができるようになった。その結果、背当部１及びクッション部（座部）２の表皮カバー類の取換え作業を初めとして、各種メーンテナンス作業の容易化を図ることができるようになった。
【００１９】
また、背当部１とリクライニング機構５を形成するパワーシリンダ５１との連結部の構造を、例えば図４に示す如く、上記背当部１の下端部中央部に設けられる背当部側クレビス１５と、当該背当部側クレビス１５と係合するものであって、チェア本体３側に設置されたパワーシリンダ５１の一方の端部側に設けられるパワーシリンダ側クレビス５１１と、これらパワーシリンダ側クレビス５１１と背当部側クレビス１５とを着脱可能なように結合するクレビスピン５１５と、当該クレビスピン５１５を保持するスナップピン５１６と、からなるようにした構成を採ることとしたので、背当部１の着脱作業、特に、背当部１とリクライニング機構５を形成するパワーシリンダ５１との着脱作業が、クレビスピン５１５等の取り外し、あるいは装着等によって簡単に行なわれることとなり、背当部１に設けられた表皮カバーの交換作業、あるいはリクライニング機構５の構成部品の保守・点検等が円滑に行なわれるようになった。
【００２０】
また、クッション部（座部）２の下面部前端部のところに、例えば図５及び図６に示す如く、上記チェア本体３の下方部前端部に設けられたクロスフレーム３３３に係合するものであって、上記クッション部（座部）２の前方への移動を規制するストッパ部２３を設けるようにした構成を採ることとしたので、クッション部（座部）２の着脱が簡単に、かつ、円滑に行なわれるようになった。すなわち、クッション部（座部）２はチェア本体３に設けられた上記クロスフレーム３３３上に設置（載置）されるとともに、本クッション部（座部）２の下面・前端部のところに設けられた上記ストッパ部２３が、上記クロスフレーム３３３のところに係合して（引掛かる）、本クッション部（座部）２の前方への移動が規制されることとなった。その結果、クッション部（座部）２を上記クロスフレーム３３３を初めとしたフレーム上に載せるだけで、本クッション部の設置が完了することとなるとともに、一方、本クッション部（座部）２の取外しも、簡単に行なうことができるようになった。
【００２１】
また、リクライニング機構を形成するパワーシリンダ５１の作動を制御する操作レバー５５の一方の端部側であるレバー部５５５の、その先端部のところを上記肘掛け部３１、３１’の上端部に設けられた操作プレート７のところに連結させるようにしたので、着座者は、このような操作プレート７を操作することによって簡単に背当部（シートバック）１のリクライニング操作を行なうことができるようになった。
【符号の説明】
【００２２】
１  背当部
１１  係合フック部
１１’  係合フック部
１１１  係合部
１１３  開口部
１５  背当部側クレビス
２  クッション部（座部）
２３  ストッパ部
３  チェア本体
３１  肘掛け部
３１’  肘掛け部
３１１  支持ピン
３３  フレーム
３３３  クロスフレーム
５  リクライニング機構
５１  パワーシリンダ
５１１  パワーシリンダ側クレビス
５１５  クレビスピン
５１６  スナップピン
５１９  切換レバー
５５  操作レバー
５５１  フック部
５５５  一方の端部
７  操作プレート
９  包装容器
【図１】
0003154967.tif 000003
【図２】
0003154967.tif 000004
【図３】
0003154967.tif 000005
【図４】
0003154967.tif 000006
【図５】
0003154967.tif 000007
【図６】
0003154967.tif 000008
【図７】
0003154967.tif 000009